(57)【要約】【課題】紛失されるおそれを更に少なくすることができるワイヤレスリモコンの提供。【解決手段】ワイヤレスリモコン１は、リモコン本体６と、壁面固定用ボルト１０とを備えている。リモコン本体６は、リモコンケーシング２と、赤外線送信部１３０とを有している。リモコンケーシング２には、ケーシング側挿通孔５が設けられている。赤外線送信部１３０は、室内に配置される制御装置に制御信号を送信する。また、壁面固定用ボルト１０は、ケーシング側挿通孔５に挿通し、リモコンケーシング２を室内の壁面に固定する。【選択図】図４
2009079849.tif 000002
【特許請求の範囲】
【請求項１】
挿通孔（５）が設けられているケーシング（２）と、室内に配置される制御装置に制御信号を送信する送信部（１３０）とを有するワイヤレスリモコン本体（６）と、
前記挿通孔（５）に挿通し、前記ケーシング（２）を前記室内の壁面に固定する固定部材（１０）と、
を備えるワイヤレスリモコン（１）。
【請求項２】
第１挿通孔（１０５）が設けられているケーシング（１０２）と、室内に配置される制御装置に制御信号を送信する送信部（１３０）とを有するワイヤレスリモコン本体（１０６）と、
前記第１挿通孔（１０５）と対向する位置に第２挿通孔（１１５）が設けられており、前記ワイヤレスリモコン本体（１０６）を着脱自在に取り付け可能な本体受け部（１１６）と、
前記本体受け部（１１６）を前記室内の壁面に固定する第１固定部材（１１０）と、
前記第１挿通孔（１０５）と前記第２挿通孔（１１５）とに挿通し、前記ケーシング（１０２）と前記本体受け部（１１６）とを固定する第２固定部材（１２０）と、
を備えるワイヤレスリモコン（１０１）。
【請求項３】
凸部（２２０ｂ）が形成されているケーシング（２０２）と、室内に配置される制御装置に制御信号を送信する送信部（１３０）とを有するワイヤレスリモコン本体（２０６）と、
前記凸部（２２０ｂ）と嵌合する嵌合部（２１５）が形成されており、前記ワイヤレスリモコン本体（２０６）を取り付け可能な本体受け部（２１６）と、
前記本体受け部（２１６）を前記室内の壁面に固定する固定部材（２１０）と、を備え、
前記凸部（２２０ｂ）と前記嵌合部（２１５）との嵌合は、取り外し用治具（２００）によってのみ解除可能である、
ワイヤレスリモコン（２０１）。
【請求項４】
前記ケーシング（２，１０２，２０２）は、前記ワイヤレスリモコン本体（６，１０６，２０６）が前記壁面に固定されている状態で、前記送信部（１３０）に電力を供給するための電池を着脱可能な電池収容部（１５０）を含む、
請求項１から３のいずれかに記載のワイヤレスリモコン（１，１０１，２０１）。
【請求項５】
前記電池収容部（１５０）は、前記電池（１５２）を収容し前記電池（１５２）を着脱可能にするための開口（１０３ｃ）が形成されている電池収容部材（１５１）と、前記開口（１０３ｃ）を覆うように配置され前記開口（１０３ｃ）を遮蔽または開放可能な電池カバー（１５３）とを含む、
請求項４に記載のワイヤレスリモコン（１，１０１，２０１）。
【発明の詳細な説明】
【技術分野】
【０００１】
本発明は、制御装置に操作信号を送信するためのワイヤレスリモコンに関する。
【背景技術】
【０００２】
従来、空気調和機等の遠隔操作を行うリモコンは、機器本体の信号の送受信が有線で行われるワイヤードリモコンと無線で行われるワイヤレスリモコンとに大別される。
【０００３】
遠隔操作手段としてワイヤードリモコンが採用される場合、ワイヤードリモコンと機器本体との間に配線を接続する配線作業が必要となる。また、ワイヤードリモコンが採用される場合、ワイヤードリモコンから機器本体に延びる配線によって、室内の美観が損なわれるおそれがある。このため、この配線を室内の壁面に埋め込む配線の埋め込み作業が更に行われる場合がある。
【０００４】
一方、遠隔操作手段としてワイヤレスリモコンが採用される場合、ワイヤードリモコンが採用される場合に発生する配線作業や配線の埋め込み作業等の労力をなくすことができる。さらに、ワイヤレスリモコンでは、ワイヤレスリモコン本体を着脱可能なリモコンホルダを室内の壁面等特定の場所に設置し、ワイヤレスリモコン本体を特定の場所に保持することも可能である。しかし、ワイヤレスリモコンの使用者が不特定多数存在する場合、ワイヤレスリモコン本体は、リモコンホルダから着脱可能であるため、紛失されるおそれがある。
【０００５】
そこで、ワイヤレスリモコンの使用者がリモコンホルダとワイヤレスリモコン本体とを容易に固定可能な操作部を備えるワイヤレスリモコンが提案されている（特許文献１参照）。このワイヤレスリモコンでは、使用者が操作部をリモコンホルダの周縁部に取り付けることで、ワイヤレスリモコン本体とリモコンホルダとを固定することができる。これによって、使用者が不特定多数存在する場合でも、ワイヤレスリモコン本体が紛失されるおそれを少なくしている。
【特許文献１】特開平７−２９８３７８号公報
【発明の開示】
【発明が解決しようとする課題】
【０００６】
しかしながら、特許文献１のワイヤレスリモコンでは、使用者が、リモコンホルダの周縁部に取り付けられている操作部を取り外すことで、ワイヤレスリモコン本体とリモコンホルダとの固定を容易に解除することもできる。
【０００７】
本発明の課題は、紛失されるおそれを更に少なくすることができるワイヤレスリモコンを提供することにある。
【課題を解決するための手段】
【０００８】
第１発明に係るワイヤレスリモコンは、ワイヤレスリモコン本体と、固定部材とを備えている。ワイヤレスリモコン本体は、ケーシングと、送信部とを有している。ケーシングには、挿通孔が設けられている。送信部は、室内に配置される制御装置に制御信号を送信する。また、固定部材は、挿通孔に挿通し、ケーシングを室内の壁面に固定する。
【０００９】
第１発明に係るワイヤレスリモコンでは、固定部材は、ケーシングに設けられている挿通孔に挿通し、ケーシングを室内の壁面に固定する。このため、ワイヤレスリモコン本体を室内の壁面に直接固定することができる。したがって、例えば、ワイヤレスリモコン本体と室内の壁面との固定が、ワイヤレスリモコンの使用者によって容易に解除可能な部材によって行われている場合と比較して、ワイヤレスリモコン本体が室内の壁面から取り外されるおそれを少なくすることができる。
【００１０】
これによって、ワイヤレスリモコンが紛失されるおそれを更に少なくすることができる。
【００１１】
第２発明に係るワイヤレスリモコンは、ワイヤレスリモコン本体と、本体受け部と、第１固定部材と、第２固定部材とを備えている。ワイヤレスリモコン本体は、ケーシングと、送信部とを有している。ケーシングには、第１挿通孔が設けられている。送信部は、室内に配置される制御装置に制御信号を送信する。本体受け部には、第１挿通孔と対向する位置に第２挿通孔が設けられている。また、本体受け部は、ワイヤレスリモコン本体を着脱自在に取り付け可能である。第１固定部材は、本体受け部を室内の壁面に固定する。第２固定部材は、第１挿通孔と第２挿通孔とに挿通し、ケーシングと本体受け部とを固定する。
【００１２】
第２発明に係るワイヤレスリモコンでは、第１固定部材は、本体受け部を室内の壁面に固定する。また、第２固定部材は、ケーシングと本体受け部とを固定する。このため、本体受け部を介してワイヤレスリモコン本体と室内の壁面とが固定される。したがって、ワイヤレスリモコン本体は、少なくとも２つの固定部材によって室内の壁面に固定されていることになる。このように、ワイヤレスリモコン本体が複数の固定部材によって室内の壁面に固定されている場合、ワイヤレスリモコン本体が複数の固定部材によって室内の壁面に固定されていない場合と比較して、ワイヤレスリモコン本体が室内の壁面から取り外され難くすることができる。
【００１３】
これによって、ワイヤレスリモコンが紛失されるおそれを更に少なくすることができる。
【００１４】
第３発明に係る発明は、ワイヤレスリモコン本体と、本体受け部と、固定部材とを備えている。ワイヤレスリモコン本体は、ケーシングと送信部とを有している。ケーシングには、凸部が形成されている。送信部は、室内に配置される制御装置に制御信号を送信する。本体受け部には、凸部と嵌合する嵌合部が形成されている。また、本体受け部には、ワイヤレスリモコン本体を取り付け可能である。さらに、固定部材は、本体受け部を室内の壁面に固定する。また、凸部と嵌合部との嵌合は、取り外し用治具によってのみ解除可能である。
【００１５】
第３発明のワイヤレスリモコンでは、固定部材は、本体受け部と室内の壁面とを固定する。また、凸部と嵌合部とが嵌合することで、ワイヤレスリモコン本体と本体受け部とが固定される。したがって、本体受け部を介してワイヤレスリモコン本体と室内の壁面とが固定される。さらに、凸部と嵌合部との嵌合は、取り外し用治具によってのみ解除可能である。このため、例えば、ワイヤレスリモコンの使用者が、取り外し用治具を所持していない場合、使用者はワイヤレスリモコン本体と本体受け部との嵌合を容易に解除することができない。したがって、使用者がワイヤレスリモコン本体を室内の壁面から取り外すおそれを少なくすることができる。
【００１６】
これによって、ワイヤレスリモコンが紛失されるおそれを更に少なくすることができる。
【００１７】
第４発明に係るワイヤレスリモコンは、第１発明から第３発明のいずれかのワイヤレスリモコンであって、ケーシングは電池収容部を含む。電池収容部は、ワイヤレスリモコン本体が壁面に固定されている状態で、送信部に電力を供給するための電池を着脱可能なである。このため、電池の交換作業を行う作業者は、ワイヤレスリモコン本体が壁面に固定されている状態で、電池を交換することができる。
【００１８】
これによって、電池の交換作業にかかる労力を軽減させることができる。
【００１９】
第５発明に係るワイヤレスリモコンは、第４発明のワイヤレスリモコンであって、電池収容部は、電池収容部材と、電池カバーとを含む。電池収容部材は、電池を収容する。また、電池収容部材には、電池を着脱可能にするための開口が形成されている。電池カバーは、開口を覆うように配置されている。また、電池カバーは、開口を遮蔽または開放可能である。このため、電池の交換作業を行う作業者は、電池収容部材の開口を開放し、電池を交換することができる。
【００２０】
これによって、作業者は電池の交換を容易に行うことができる。
【発明の効果】
【００２１】
第１発明に係るワイヤレスリモコンでは、ワイヤレスリモコンが紛失されるおそれを更に少なくすることができる。
【００２２】
第２発明に係るワイヤレスリモコンでは、ワイヤレスリモコンが紛失されるおそれを更に少なくすることができる。
【００２３】
第３発明に係るワイヤレスリモコンでは、ワイヤレスリモコンが紛失されるおそれを更に少なくすることができる。
【００２４】
第４発明に係るワイヤレスリモコンでは、電池の交換作業にかかる労力を軽減させることができる。
【００２５】
第５発明に係るワイヤレスリモコンでは、作業者は電池の交換を容易に行うことができる。
【発明を実施するための最良の形態】
【００２６】
−第１実施形態−
本発明の第１実施形態に係るワイヤレスリモコン１０１について図１を用いて説明する。ワイヤレスリモコン１０１は、リモコン本体１０６と、リモコンホルダ１１６とを備えており、ワイヤレスリモコン１０１の使用者が対象機器（本実施形態では、空気調和機）に制御信号を送信するための送信手段である。なお、以下の説明における「上下」または「左右」は、ワイヤレスリモコン１０１が室内の壁面に固定された状態での正面視における上下または左右を意味している。
【００２７】
＜リモコン本体＞
リモコン本体１０６は、図１に示すように、リモコンケーシング１０２を有する。リモコンケーシング１０２は、ワイヤレスリモコン１０１が室内の壁面に固定された状態においてワイヤレスリモコンの使用者が可視可能な前部１０３と、前記状態において室内の壁側に面する後部１０４とが組み合わされて構成されている。
【００２８】
（１）前部
前部１０３は、図１および図２示すように、前部本体１４０と電池カバー１５３とを有する。
【００２９】
前部本体１４０は、略正方形状の前面部１０３ａと、前面部１０３ａの縁から立設される側部１０３ｂとから構成されるため、背面側に開口を有する構造となる。また、前部本体１４０の右側下端部には、図２に示すように、電池用開口１０３ｃが形成されている。電池用開口１０３ｃは、後述する電池収容部材１５１に電池１５２が収容されている場合、ワイヤレスリモコン１０１が室内の壁面に固定されている状態で、前部本体１４０から外部に電池１５２の表面を露出可能な開口である。
【００３０】
さらに、前面部１０３ａの上方には、図１および図２示すように、表示部１３２が設けられている。表示部１３２は、液晶表示装置で構成されており、空調室内の現在温度や空気調和機に設定されている設定温度を表示したり空気調和機に現在設定されている風量や風向を表示したりする。
【００３１】
電池カバー１５３は、図２に示すように、断面が略Ｌ字型に形成されており、電池用開口１０３ｃの外形寸法と略同一寸法を有している。また、電池カバー１５３は、前部本体１４０から着脱可能であり、電池用開口１０３ｃを遮蔽または開放する。なお、電池カバー１５３は、電池１５２交換時以外のリモコン本体１０６の通常使用時では、電池用開口１０３ｃと嵌合し、電池用開口１０３ｃを覆っている。
【００３２】
（２）後部
後部１０４は、図１に示すように、リモコンケーシング１０２の背面部を構成している。後部１０４は、前部１０３の外形寸法と略同一寸法を有している。また、後部１０４は、爪部１０４ａを有している。爪部１０４ａは、前部１０３と後部１０４とが組み合わされた状態で、後部１０４の上部および下部から前部１０３に向けて突出している。また、爪部１０４ａの突出端近傍には、係止部１０４ｂが設けられている。係止部１０４ｂは、前部１０３と後部１０４とが組み合わされた状態で、後部１０４の上部に設けられている爪部１０４ａからは上側に向かって突出しており、後部１０４の下部に設けられている爪部１０４ａからは下側に向かって突出している。さらに、後部１０４には、本体固定用ボルト１２０が挿通可能なケーシング側挿通孔１０５が形成されている。
【００３３】
また、リモコン本体１０６は、電池収容部１５０を有している。電池収容部１５０は、図１および図２に示すように、電池収容部材１５１と、リモコンケーシング１０２の一部である電池カバー１５３とを含む。
【００３４】
電池収容部材１５１は、開口を有する箱形状の部材であり、リモコンケーシング１０２の内側に配置されている。また、電池収容部材１５１は、上述のように、電池１５２を収容可能である。さらに、本実施形態では、電池収容部材１５１の有する開口と電池用開口１０３ｃとは同一の開口である。
【００３５】
さらに、リモコン本体１０６は、赤外線送信部１３０を有している。赤外線送信部１３０は、主に、赤外線透過部材１３１と赤外線発光素子（図示せず）とから構成されている。赤外線透過部材１３１は、リモコンケーシング１０２の前部本体１４０の上部に配置されている。また、赤外線発光素子は、リモコンケーシング１０２に収容されており、赤外線透過部材１３１の近傍に配置されている。また、リモコン本体１０６は、空気調和機の使用者によって指示入力を受ける操作部（図示せず）を有している。操作部としては、運転／停止の指示を受ける運転／停止ボタン、設定温度を設定する温度設定ボタン、供給される風量を設定する風量設定ボタン等がある。例えば、空調対象者が風量設定ボタンを押した場合、赤外線送信部１３０から空気調和機の有する赤外線受信部に風量設定の指示信号が送信される。そして、空気調和機は、赤外線受信部で受信した信号を利用して、空気調和機の有する送風ファンの回転数を調節する。
【００３６】
＜リモコンホルダ＞
リモコンホルダ１１６は、図１および図３に示すように、主に、平板１１６ａと、平板１１６ａの周縁部に設けられた支持部１１６ｂとから構成されており、リモコン本体１０６を収容する。
【００３７】
平板１１６ａには、リモコン本体１０６がリモコンホルダ１１６に取り付けられた状態においてケーシング側挿通孔１０５と一致する位置にホルダ側挿通孔１１５が設けられている。また、平板１１６ａには、ホルダ側挿通孔１１５とは別に、壁面固定用ボルト１１０が挿通可能な固定用挿通孔１１０ａが設けられている。
【００３８】
支持部１１６ｂは、リモコン本体１０６の左右両端部および下端部を保持可能なように設けられている。
【００３９】
＜ワイヤレスリモコンの固定作業＞
次に、ワイヤレスリモコン１０１を室内の壁面に固定する固定作業について図１および図３を用いて説明する。
【００４０】
最初に、ワイヤレスリモコン１０１の固定作業を行う作業者によって、リモコンホルダ１１６が室内の壁面に壁面固定用ボルト１１０によって固定される。また、このとき、壁面固定用ボルト１１０は、リモコンホルダ１１６に設けられている固定用挿通孔１１０ａを挿通している。次に、リモコン本体１０６の後部１０４が、本体固定用ボルト１２０によってリモコンホルダ１１６に固定される。また、このとき、本体固定用ボルト１２０は、その先端がケーシング側挿通孔１０５およびホルダ側挿通孔１１５を挿通して室内の壁面に達するように固定される。そして、後部１０４に設けられている爪部１０４ａの係止部１０４ｂが、リモコン本体１０６の側部１０３ｂの内側に係止される。このようにして、リモコン本体１０６がリモコンホルダ１１６を介して室内の壁面に固定され、ワイヤレスリモコン１０１の固定作業が完了する。
【００４１】
また、ワイヤレスリモコン１０１の電池１５２交換作業は、図２に示すように、リモコン本体１０６が室内の壁面に固定されている状態で行われる。具体的には、交換作業者が、前部１０３から電池カバー１５３を脱離し電池用開口１０３ｃを開放することで、電池１５２がリモコン本体１０６の内部から露出する。そして、交換作業者が、電池収容部材１５１から電池１５２を取り出し、電池収容部材１５１に新しい電池を取り付ける。最後に、交換作業者が前部本体１４０に電池カバー１５３を嵌め合わせることによって、電池用開口１０３ｃが電池カバー１５３によって覆われる。この作業によって、電池１５２の交換作業が完了する。
【００４２】
＜特徴＞
（１）
空気調和機等の遠隔操作を行うリモコンは、機器本体の信号の送受信が有線で行われるワイヤードリモコンと無線で行われるワイヤレスリモコンとに大別される。
【００４３】
遠隔操作手段としてワイヤードリモコンが採用される場合、ワイヤードリモコンと機器本体とに間を配線で接続する配線作業が必要となる。また、この配線を室内の壁面に埋め込む配線の埋め込み作業が更に行われる場合がある。
【００４４】
遠隔操作手段としてワイヤレスリモコンが採用される場合、ワイヤードリモコンが採用される場合に発生する配線作業や配線の埋め込み作業等の労力をなくすことができる。しかし、ワイヤレスリモコンの使用者が不特定多数存在する場合、ワイヤレスリモコンが紛失されるおそれがある。
【００４５】
そこで、特開平７−２９８３７８号公報に記載されているワイヤレスリモコンは、使用者がリモコンホルダとリモコン本体とを容易に固定可能な操作部を備えている。このワイヤレスリモコンでは、使用者が操作部をリモコンホルダの周縁部に取り付けることで、リモコン本体とリモコンホルダとを固定することができる。これによって、使用者が不特定多数存在する場合でも、リモコン本体が紛失されるおそれを少なくしている。
【００４６】
しかしながら、このワイヤレスリモコンは、使用者が、リモコンホルダの周縁部に取り付けられている操作部を取り外すことで、リモコン本体とリモコンホルダとの固定を容易に解除することもできる。
【００４７】
そこで、上記実施形態では、リモコンホルダ１１６が、壁面固定用ボルト１１０によって室内の壁面に固定される。また、リモコンケーシング１０２の後部１０４は、本体固定用ボルト１２０によってリモコンホルダ１１６に固定される。さらに、後部１０４に設けられている爪部１０４ａの係止部１０４ｂが側部１０３ｂの内側に係止されることで、リモコン本体１０６がリモコンホルダ１１６を介して室内の壁面に固定されている。このため、リモコン本体１０６をリモコンホルダ１１６から取り外すためには、まず、爪部１０４ａの係止部１０４ｂと側部１０３ｂの内側との係止を解除し、後部１０４から前部１０３を取り外さなければならない。このように、本実施形態に係るワイヤレスリモコン１０１では、リモコン本体１０６を室内の壁面から取り外す作業がリモコン本体とリモコンホルダとの固定が容易に解除できる従来のワイヤレスリモコンと比較して、煩雑になっている。
【００４８】
これによって、使用者がリモコン本体１０６を室内の壁面から取り外すおそれを少なくすることができている。
【００４９】
また、上記実施形態では、本体固定用ボルト１２０の先端は、ケーシング側挿通孔１０５およびホルダ側挿通孔１１５を挿通して室内の壁面に達している。このため、リモコンケーシング１０２の後部１０４は、リモコンホルダ１１６を介して室内の壁面に固定されるだけでなく、リモコンホルダ１１６を挟んで室内の壁面に直接固定されている。したがって、例えば、壁面固定用ボルト１１０が外れた場合でも、リモコン本体１０６と室内の壁面とを固定し続けることができる。
【００５０】
これによって、ワイヤレスリモコンが紛失されるおそれを更に少なくすることができる。
【００５１】
（２）
上記実施形態では、リモコン本体１０６が、電池収容部１５０を有している。電池収容部１５０は、電池収容部材１５１と、リモコンケーシング１０２の一部である電池カバー１５３とを含む。また、リモコンケーシング１０２の前部本体１４０には、電池用開口１０３ｃが形成されている。電池用開口１０３ｃは、電池収容部材１５１に電池１５２が収容されている場合、ワイヤレスリモコン１０１が室内の壁面に固定されている状態で、前部本体１４０から電池１５２を露出可能な開口である。
【００５２】
このため、ワイヤレスリモコン１０１の電池１５２を交換する場合、電池１５２の交換作業者は、リモコン本体１０６が壁面に固定されている状態で、電池１５２を交換することができる。
【００５３】
これによって、電池１５２の交換作業にかかる労力を軽減させることができる。
【００５４】
また、電池１５２は、交換作業者が前部１０３から電池カバー１５３を脱離し電池用開口１０３ｃを開放することで、リモコン本体１０６から露出する。このため、交換作業者は、電池１５２の交換作業を容易に行うことができる。
【００５５】
＜変形例＞
上記実施形態では、ワイヤレスリモコン１０１はリモコンホルダ１１６を備えており、リモコン本体１０６は、リモコンホルダ１１６を介して室内の壁面に固定されている。しかし、リモコン本体は、リモコンホルダを介することなく、室内の壁面に直接固定されてもよい。以下、リモコン本体が室内の壁面に直接固定されるワイヤレスリモコンについて説明する。
【００５６】
なお、以下に説明するワイヤレスリモコンは、第１実施形態におけるリモコン本体および壁面固定用ボルトのみを備えており、リモコン本体の室内の壁面への固定作業において、壁面固定用ボルトがケーシング挿通孔を挿通すること以外は第１実施形態に係るワイヤレスリモコンと同様である。したがって、ここでは、リモコン本体の固定作業のみを図４を用いて説明する。
【００５７】
＜ワイヤレスリモコンの固定作業＞
最初に、リモコンケーシング２の後部４が、壁面固定用ボルト１０によって室内の壁面に固定される。なお、このとき、壁面固定用ボルト１０は、後部４に設けられているケーシング側挿通孔５に挿通されている。次に、後部４に設けられている爪部４ａの係止部４ｂが前部３の側部３ｂに係止されることで、前部３と後部４とが固定される。したがって、リモコン本体６が室内の壁面に固定される。このため、ワイヤレスリモコン１が紛失されるおそれを更に少なくすることができる。また、リモコン本体６は、リモコンホルダを介さずに、室内の壁面に直接固定されている。このため、リモコン本体６がリモコンホルダを介して室内の壁面に固定される場合と比較して、部品点数を削減することができる。
【００５８】
−第２実施形態−
本発明の第２実施形態に係るワイヤレスリモコン２０１について図５を用いて説明する。ワイヤレスリモコン２０１は、リモコン本体２０６と、リモコンホルダ２１６とを備えており、ワイヤレスリモコン２０１の使用者が対象機器（本実施形態では、第１実施形態と同様に空気調和機）に制御信号を送信するための送信手段である。なお、第２実施形態に係るワイヤレスリモコン２０１は、リモコン本体２０６の後部２０４、リモコンホルダ２１６およびリモコン本体２０６とリモコンホルダ２１６との固定作業以外は、第１実施形態に係るワイヤレスリモコンと同様である。したがって、ここでは、リモコン本体２０６の後部２０４、リモコンホルダ２１６およびリモコン本体２０６とリモコンホルダ２１６との固定作業のみを以下に説明する。
【００５９】
＜リモコン本体＞
リモコン本体２０６は、図５に示すように、リモコンケーシング２０２を有している。リモコンケーシング２０２は、ワイヤレスリモコン２０１が室内の壁面に固定された状態において、ワイヤレスリモコン２０１の使用者から可視可能な前部２０３と、室内の壁側に面する後部２０４とが組み合わされて構成されている。なお、上述のように、第２実施形態に係るリモコン本体２０６の前部２０３は、第１実施形態と同様であるので、後部２０４のみを説明する。また、以下の説明における「上下」は、ワイヤレスリモコン２０１が室内の壁面に固定された状態での正面視における上下を意味している。
【００６０】
後部２０４は、図５に示すように、リモコンケーシング２０２の背面部を構成している。後部２０４は、前面部２０３ａの外形寸法と略同一寸法を有している。また、後部２０４は、爪部２０４ａを有している。爪部２０４ａは、前部２０３と後部２０４とが組み合わされた状態で、後部２０４の上部および下部から前部２０３に向けて突出している。また、爪部２０４ａの突出端近傍には、係止部２０４ｂが設けられている。係止部２０４ｂは、前部２０３と後部２０４とが組み合わされた状態で、後部２０４の上部に設けられている爪部２０４ａからは上側に向かって突出しており、後部２０４の下部に設けられている爪部２０４ａからは下側に向かって突出している。さらに、後部２０４には、リモコン本体２０６が後述するリモコンホルダ２１６に取り付けられた状態で、リモコンホルダ２１６の支持部２１６ｂと対向する位置に複数の支持部用開口２０５ａが設けられている。
【００６１】
また、後部２０４には、支持部用開口２０５ａとは別にフック用開口２０５ｂが設けられている。フック用開口２０５ｂは、後部２０４の略中央付近から下部付近までの部分が略直方体形状に切り欠かれるように形成された開口である。
【００６２】
さらに、後部２０４は、フック形状のケーシング固定部２２０を有している。ケーシング固定部２２０は、本体部２２０ａと、凸部２２０ｂとによって構成されている。本体部２２０ａは、フック用開口２０５ｂの周縁上部の略中央からフック用開口２０５ｂの周縁下部近傍まで下方向に延びている。凸部２２０ｂは、本体部２２０ａの下部先端近傍に凸設されている。また、凸部２２０ｂは、前部２０３と後部２０４とが組み合わされた状態で、本体部２２０ａからリモコンケーシング２０２の外側に向けて突出している。また、凸部２２０ｂは、後述するリモコンホルダ２１６の嵌合部と嵌合する。
【００６３】
＜リモコンホルダ＞
リモコンホルダ２１６は、図５および図６に示すように、主に、平板２１６ａと、平板２１６ａの平面部に設けられた複数の支持部２１６ｂとから構成されている。
【００６４】
平板２１６ａは、平面視において、リモコン本体２０６の後部２０４よりも小さい略長方形状の板状部材である。また、平板２１６ａの下端の略中央部は、略逆Ｕ字状に切り欠かれている。さらに、この切り欠き近傍に相当する部分である平板２１６ａの下端縁の略中央部には、リモコン本体２０６がリモコンホルダ２１６に取り付けられた状態でケーシング固定部２２０の凸部２２０ｂと対向する位置に、嵌合部２１５が設けられている。嵌合部２１５は、ワイヤレスリモコン２０１が壁面に固定された状態において、平板２１６ａから凸部２２０ｂに向かって突出するように設けられている。さらに、平板２１６ａには、壁面固定用ボルト２１０が挿通可能な固定用挿通孔２１０ａが設けられている。
【００６５】
支持部２１６ｂは、嵌合部２１５が突出している方向と同様の方向に平板２１６ａから略逆Ｔ字状に凸設されており、後部２０４に設けられている支持部用開口２０５ａと係合することによって後部２０４をリモコンホルダ２１６に固定する。
【００６６】
＜ワイヤレスリモコンの固定作業＞
次に、ワイヤレスリモコン２０１の室内の壁面への固定作業について、図５，図６および図７を用いて説明する。
【００６７】
ワイヤレスリモコン２０１の固定作業を行う作業者によって、リモコンホルダ２１６が室内の壁面に固定用ボルト２１０によって固定される。また、このとき、固定用ボルト２１０は、リモコンホルダ２１６に設けられている固定用挿通孔２１０ａを挿通している。
【００６８】
次に、後部２０４が図５の矢印（図５中のＡ１）の方向にスライドされることで、後部２０４に設けられている支持部用開口２０５ａにリモコンホルダ２１６に設けられている支持部２１６ｂが係合すると共に、後部２０４に設けられている凸部２２０ｂがリモコンホルダ２１６の嵌合部２１５に嵌合する。このため、図７に示すように、リモコンホルダ２１６に後部２０４が固定される。そして、後部２０４に設けられている爪部２０４ａの係止部２０４ｂが、前部２０３の側部２０３ｂの内側に係止される。これによって、リモコン本体２０６がリモコンホルダ２１６を介して室内の壁面に固定され、ワイヤレスリモコン２０１の固定作業が完了する。
【００６９】
さらに、リモコン本体２０６は、取り外し用治具２００を使用することによってのみ、リモコンホルダ２１６から取り外すことができる。具体的には、図８に示すように、取り外し用治具２００が、リモコン本体２０６の後部２０４の背面側と室内の壁面との間にワイヤレスリモコン２０１の下方から凸部２２０ｂ近傍まで差し込まれると、凸部２２０ｂと嵌合部２１５との嵌合が解除される。このため、リモコン本体２０６がリモコンホルダ２１６から取り外される。したがって、リモコン本体２０６を室内の壁面から取り外すことができる。なお、取り外し用治具２００は、ワイヤレスリモコン２０１が使用されている付近には保管されず、例えば、ワイヤレスリモコン２０１が使用されている室内とは別の室内に保管される。
【００７０】
＜特徴＞
上記実施形態では、後部２０４に設けられている支持部用開口２０５ａにリモコンホルダ２１６に設けられている支持部２１６ｂが係合すると共に、後部２０４に設けられている凸部２２０ｂがリモコンホルダ２１６の嵌合部２１５に嵌合することで、リモコンホルダ２１６と後部２０４とが固定される。また、凸部２２０ｂと嵌合部２１５との嵌合は、取り外し用治具２００を使用することによってのみ、解除可能である。さらに、取り外し用治具２００は、ワイヤレスリモコン２０１が使用されている室内とは別の室内に保管されている。このため、ワイヤレスリモコン２０１の使用者は、凸部２２０ｂと嵌合部２１５との嵌合を容易に解除することができない。したがって、リモコン本体２０６を室内の壁面から容易に取り外すことができない。
【００７１】
これによって、ワイヤレスリモコン２０１が紛失されるおそれを更に少なくすることができている。
【００７２】
＜参考例＞
上記実施形態では、リモコンケーシング２０２の後部２０４に設けられている凸部２２０ｂとリモコンホルダ２１６の嵌合部２１５との嵌合は、取り外し用治具２００によってのみ解除可能である。このため、ワイヤレスリモコン２０１の取り外し作業を行う作業者がリモコン本体２０６を室内の壁面から取り外すためには、取り外し用治具２００が必要となる。しかし、凸部と嵌合部との嵌合は、作業者が凸部と嵌合部との嵌合部分に直接接触することで解除されてもよい。例えば、図９に示すように、凸部３２０ｂが電池収容部３５０の近傍に配置されるように構成されたワイヤレスリモコン３０１の場合、以下に説明するように嵌合の解除を行うことができる。
【００７３】
最初に、作業者が、前部本体３４０から電池カバー３５３を脱離し、露出した電池用開口３０３ｃからリモコンケーシング３０２の外側に電池３５２を取り出す。そして、作業者が電池収容部材３５１の近傍に位置する凸部３２０ｂに直接接触することで、凸部３２０ｂと嵌合部３１５との嵌合を解除する。このため、作業者は、リモコン本体３０６をリモコンホルダから取り外すことができる。これによって、リモコン本体３０６を室内の壁面から取り外すことができる。
【００７４】
なお、この嵌合の解除作業は、煩雑であり、作業者にとって少なからず負担となる。このため、ワイヤレスリモコン３０１の使用者によって、リモコン本体３０６が室内の壁面から取り外されるおそれを減らすことができる。
【００７５】
これによって、ワイヤレスリモコン３０１が紛失されるおそれを更に少なくすることができる。
【産業上の利用可能性】
【００７６】
本発明は、紛失されるおそれを更に少なくすることができるため、特に、使用者が不特定多数存在するワイヤレスリモコンへの適用が有用である。
【図面の簡単な説明】
【００７７】
【図１】本発明の第１実施形態に係るワイヤレスリモコンの分解斜視図。
【図２】電池収容部の概略斜視図。
【図３】本発明の第１実施形態に係るワイヤレスリモコンの備えるリモコンホルダの斜視図。
【図４】本発明の第１実施形態の変形例に係るワイヤレスリモコンの分解斜視図。
【図５】本発明に第２実施形態に係るワイヤレスリモコンの分解斜視図。
【図６】本発明の第２実施形態に係るワイヤレスリモコンの備えるリモコンホルダの斜視図。
【図７】本発明の第２実施形態に係るワイヤレスリモコンの備えるリモコンホルダとケーシングの後部とが嵌合している状態を示す図。
【図８】本発明の第２実施形態に係るワイヤレスリモコンの備えるリモコン本体とリモコンホルダとの嵌合の解除を示す図。
【図９】本発明の参考例に係るワイヤレスリモコンの概略斜視図。
【符号の説明】
【００７８】
１，１０１，２０１  ワイヤレスリモコン
２，１０２，２０２  リモコンケーシング（ケーシング）
５      ケーシング側挿通孔（挿通孔）
６，１０６、２０６  リモコン本体（ワイヤレスリモコン本体）
１０，２１０  壁面固定用ボルト（固定部材）
１０３ｃ    電池用開口（開口）
１０５      ケーシング側挿通孔（第１挿通孔）
１１０      壁面固定用ボルト（第１固定部材）
１１５      ホルダ側挿通孔（第２挿通孔）
１１６，２１６  リモコンホルダ（本体受け部）
１２０      本体固定用ボルト（第２固定部材）
１３０      赤外線送信部（送信部）
１５０      電池収容部
１５１      電池収容部材
１５２      電池
１５３      電池カバー
２００      取り外し用治具
２１５      嵌合部
２２０ｂ    凸部
【図１】
2009079849.tif 000003
【図２】
2009079849.tif 000004
【図３】
2009079849.tif 000005
【図４】
2009079849.tif 000006
【図５】
2009079849.tif 000007
【図６】
2009079849.tif 000008
【図７】
2009079849.tif 000009
【図８】
2009079849.tif 000010
【図９】
2009079849.tif 000011